(57)【要約】【課題】  本発明は、障子下端と床面との隙間を塞いで見込み方向の視線を確実に遮断すると共に、構造も簡単な上吊引戸を提供することにある。【解決手段】  枠体１と障子２を備え、枠体１は、上枠１ａに障子２を摺動自在に吊り下げて下端を浮かせていると共に、下枠１ｂの障子２と対向する位置に溝１５が設けてあり、下框２ｂに下向きの溝５を有するものであって、竪框２ｃ下端に取り付ける端部キャップ７と、端部キャップ７に挿入し且つ上下動自在に保持される可動部品８と、可動部品８に両端を保持されると共に下框２ｂの溝５に挿入して上下動自在な補助下框９を有し、可動部品８と補助下框９は、自重により下方に移動して下枠１ｂの溝１５に入り込むことを特徴とする。【選択図】      図１（ａ）（ｂ）
2010174551.tif 000002
【特許請求の範囲】
【請求項１】
枠体と障子を備え、枠体は、上枠に障子を摺動自在に吊り下げて障子下端を浮かせていると共に、下枠の障子と対向する位置に溝が設けてあり、障子は、下框に下向きの溝を有するものであって、竪框下端に取り付ける端部キャップと、端部キャップに挿入し且つ上下動自在に保持される可動部品と、可動部品に両端を保持されると共に下框の溝に挿入して上下動自在な補助下框を有し、可動部品と補助下框は、自重により下方に移動して下枠の溝に入り込むことを特徴とする上吊引戸。
【請求項２】
端部キャップは、竪框下端と下框を固定するネジで竪框下端に取付けてあることを特徴とする請求項１記載の上吊引戸。
【発明の詳細な説明】
【技術分野】
【０００１】
本発明は、上吊引戸に関するものである。
【背景技術】
【０００２】
枠体の施工誤差により、障子を上枠に吊り上げたときには下框と下枠との間に隙間が生じ、見込み方向の視線を遮断するために面倒な位置調整を要するものであった。そこで、引戸障子下端の下枠との隙間を遮断する上吊引戸として、特開２００７−１８６８８８号公報のものがあり、この上吊引戸は、下框に取り付けてある隙間閉塞部材と戸車が板バネの付勢で下方に突出してフラットな床面上を走行するものであった。ところが、上記の上吊引戸では、戸車がフラットな床面を走行するものであることから、付勢部材で隙間開閉部材と戸車を下方に付勢し、戸車を床面に押し付けながら障子を走行させなければならないため、障子の構造が複雑になった。しかも、戸車を隙間開閉部材の下端よりも下方に突出させなければ障子の開閉がスムーズに行えないことから、隙間開閉部材と床面との間に隙間が生じてしまうため、これにより、実質的に障子見込み方向の視線を遮断することはできなかった。また、下枠のないフラットな床面であることから、障子の振れを小さくするために略凹溝を有するガイドブロックを床面に取り付ける必要があり、施工手間もかかるものであった。
【先行技術文献】
【特許文献】
【０００３】
【特許文献１】特開２００７−１８６８８８号公報
【発明の概要】
【発明が解決しようとする課題】
【０００４】
本発明は、上記課題を鑑みてなされたものであり、障子下端と床面との隙間を塞いで見込み方向の視線を確実に遮断すると共に、構造も簡単な上吊引戸を提供することにある。
【課題を解決するための手段】
【０００５】
本発明のうち請求項１記載の発明は、枠体と障子を備え、枠体は、上枠に障子を摺動自在に吊り下げて障子下端を浮かせていると共に、下枠の障子と対向する位置に溝が設けてあり、障子は、下框に下向きの溝を有するものであって、竪框下端に取り付ける端部キャップと、端部キャップに挿入し且つ上下動自在に保持される可動部品と、可動部品に両端を保持されると共に下框の溝に挿入して上下動自在な補助下框を有し、可動部品と補助下框は、自重により下方に移動して下枠の溝に入り込むことを特徴とする。
【０００６】
本発明の請求項２記載の発明では、端部キャップは、竪框下端と下框を固定するネジで竪框下端に取付けてあることを特徴とする。
【発明の効果】
【０００７】
本発明のうち請求項１記載の発明によれば、障子下端で端部キャップに上下動自在に保持される可動部品、および可動部品と連動する補助下框が自重で下枠の溝に入り込むことから、可動部品と補助下框により障子下端と下枠との隙間が隠れることで、障子見込み方向の視線が遮断される上、障子の振れ止めの効果も期待できる。また、可動部品が自重で下枠の溝に入り込むことから付勢部材と戸車が不要となるので、下框の構造が簡単になる。
【０００８】
本発明のうち請求項２記載の発明によれば、竪框と下框を取り付けるとき、端部キャップと可動部品および補助下框も一緒に取り付けることができるので、上吊引戸の組み立てが容易になる。
【図面の簡単な説明】
【０００９】
【図１（ａ）（ｂ）】（ａ）は、本実施による上吊引戸の縦断面図であり、（ｂ）は、本実施による上吊引戸の横断面図である。
【図２（ａ）（ｂ）（ｃ）（ｄ）（ｅ）】（ａ）は、端部キャップおよび可動部品の斜視図であり、（ｂ）は、端部キャップおよび可動部品の縦断面図であり、（ｃ）は、竪框と下框のコーナー部を拡大して示す斜視図であり、（ｄ）は、竪框と下框のコーナー部を拡大した縦断面図であり、（ｅ）は、同じく、下框のコーナー部を拡大した側面図である。
【図３（ａ）（ｂ）】本実施による上吊引戸の可動部品の動作を示す簡略化した縦断面図である。
【発明を実施するための形態】
【００１０】
以下に、図面に基づいて本実施による上吊引戸の実施の形態を説明する。
本実施による上吊引戸は、図１（ａ）（ｂ）のように、上枠１ａと下枠１ｂと竪枠１ｃとからなる枠体１と、枠体１の上枠１ａに摺動自在に吊られる引違い障子（障子）２とからなっている。また、下枠１ｂには障子２と対向する位置に凹溝状のレール溝１５が設けてあり、障子２下端に取り付けてある可動部品８が自重により下がることで、そのレール溝１５に入り込む構造となっている。
【００１１】
障子２は、上框２ａと下框２ｂと竪框２ｃを框組みして形成するものであり、上框２ａは、上端に水平軸回転するローラーの付いた係止部３を有しており、その係止部３のローラーを上枠１ａに設けてある被係止溝４に係止し、障子２下端を浮かすことで、障子２を被係止溝４に沿って摺動自在な状態で吊り上げてある。また、下框２ｂは、収納凹溝（溝）５を有する断面下向き略コ字型をなしており、収納凹溝５には、後述するが、補助下框９が上下動自在に収容される。
【００１２】
障子２は、図２（ａ）（ｃ）のように、竪框２ｃ下端に取り付ける端部キャップ７と、端部キャップ７に挿入して上下動自在に保持される可動部品８と、可動部品８に長手側の両端を保持される補助下框９とを有している。端部キャップ７は、図２（ｂ）のように、略矩形筒型状をなして下端が開放した可動部品８の収容部１１を有している。また、符号１７は、上記ネジ１０の挿通孔であり、図２（ｄ）（ｅ）のように、下框２ｂの長手側端部に設けてある略水平に伸びるタッピングホール１２にネジ１０を挿通して下框２ｂに共締めされる。また、収納部１１を挟んで対向する両側壁の内面側には、収容部１１に向かって突出する係止爪部１３が設けてある。可動部品８は、その上部に矩形筒型状をなす挿入部を有しており、挿入部を形成する側壁のうちの対向する箇所に縦孔１４が各々設けてある。これにより、可動部品８が端部キャップ７の収容部１１において所定の範囲を自在に上下動できるが、可動部品８の自重によってさらに下がろうとしたときに、側壁の縦孔１４による残壁部１４ａが端部キャップ７の係止爪部１３に係止してそれ以上の移動が規制され、可動部品８が端部キャップ７の収納部１１から抜け落ちない構造となる。また、可動部品８の下部は、下枠１ｂのレール溝１５の溝幅よりも僅かに狭い寸法で張り出した溝挿入部１６が設けてある。補助下框９は、桟のような形状をなすもので、下框２ｂと略同じ長さに形成されており、上記の可動部品８により長手側の両端部が固定してあり、可動部品８の上下方向の動きに追従して動作する。また、下框２ｂが下枠１ｂに接触することなく、自重で下框２ｂから下方に移動した可動部品８の溝挿入部１６両端のみがレール溝１５の溝壁にガイドされながら走行するため、障子２のスムーズな開閉が可能となる（図３（ｂ）参照）。
【００１３】
上記した下框２ｂの作動状態について、図３（ａ）（ｂ）に基づいて説明する。
障子２を上枠１ａの被係止溝４に係止したとき、障子２の下框２ｂでは、可動部品８（図２（ｃ）参照）が補助下框９とともに自重により下方へ移動して下枠１ｂのレール溝１５に入り込み、可動部品８と補助下框９が障子２の下框２ｂと下枠１ｂとの間の隙間を遮ることになる（図３（ｂ）参照）。したがって、障子２見込み方向の視線が遮断されて障子２を挟んだ対向側（図３（ａ）（ｂ）中の一方側または他方側）が見えなくなると共に、可動部品８がレール溝１５に入り込んで、所定の範囲ではあるが障子２の寸法誤差を吸収できることで、枠体１の施工誤差により施工精度が求められる上吊引戸の建て付け調整も容易となる。
【００１４】
本発明の上吊引戸は、上記実施形態の他、障子２の下框２ｂから下枠１ｂのレール溝１５に挿入したときに、障子２下端と下枠１ｂとの隙間を塞ぐものであれば、可動部品８や補助下框９の大きさや形状などは特に限定するものではない。
【符号の説明】
【００１５】
１  枠体
１ａ  上枠
１ｂ  下枠
２  障子
２ｂ  下框
２ｃ  竪框
５  収納凹溝（溝）
７  端部キャップ
８  可動部品
９  補助下框
１０  ネジ
１５  レール溝（溝）
【図１（ａ）（ｂ）】
2010174551.tif 000003
【図２（ａ）（ｂ）（ｃ）（ｄ）（ｅ）】
2010174551.tif 000004
【図３（ａ）（ｂ）】
2010174551.tif 000005